(57)【特許請求の範囲】
【請求項１】
アンテナと増幅器を搭載した複数のアンテナ基板を有するアンテナ装置と、前記アンテナ基板に電気的に接続されかつチューナと電源ブロックと前記増幅器を制御する制御部とを搭載したメイン基板とを備え、前記アンテナ基板それぞれとメイン基板とは１本の同軸線で電気的に接続するとともに、複数のアンテナ基板間は電源線と制御線とで接続し、前記電源ブロックの電源電圧は、複数のアンテナ基板のうち１つのアンテナ基板とメイン基板とを接続する同軸線を通して前記１つのアンテナ基板の増幅器に供給するとともに、他のアンテナ基板の増幅器には前記電源線を通して電源電圧を供給するように構成し、かつ前記制御部の制御信号は、前記アンテナ基板とは別のアンテナ基板とメイン基板とを接続する同軸線を通して前記別のアンテナ基板の増幅器に供給するとともに、他のアンテナ基板の増幅器には前記制御線を通して制御信号を供給するように構成したことを特徴とする受信装置。
【発明の詳細な説明】
【技術分野】
【０００１】
本発明は、複数のアンテナ装置を有する受信装置に関する。
【背景技術】
【０００２】
地上波デジタル放送等を受信可能で、携帯可能な表示装置が普及してきている。これらの表示装置においては、装置を構成する筐体の内側あるいは外側に、放送電波を受信するアンテナを装備する必要がある。特に、高感度な受信を実現する方法として、複数のアンテナを備えるダイバーシティ方式が用いられる。また、複数のアンテナをどのような形状にしてどのように装備するかは、様々な取組みがなされている（例えば、特許文献１参照）。
【先行技術文献】
【特許文献】
【０００３】
【特許文献１】特開２００７−２８１９０６号公報
【発明の概要】
【発明が解決しようとする課題】
【０００４】
本発明はこのような受信装置において、メイン基板とアンテナ装置との間の配線を少なくすることを目的とする。
【課題を解決するための手段】
【０００５】
上記目的を達成するため本発明は、アンテナと増幅器を搭載した複数のアンテナ基板を有するアンテナ装置と、前記アンテナ基板に電気的に接続されかつチューナと電源ブロックと前記増幅器を制御する制御部とを搭載したメイン基板とを備え、前記アンテナ基板それぞれとメイン基板とは１本の同軸線で電気的に接続するとともに、複数のアンテナ基板間は電源線と制御線とで接続し、前記電源ブロックの電源電圧は、複数のアンテナ基板のうち１つのアンテナ基板とメイン基板とを接続する同軸線を通して前記１つのアンテナ基板の増幅器に供給するとともに、他のアンテナ基板の増幅器には前記電源線を通して電源電圧を供給するように構成し、かつ前記制御部の制御信号は、前記アンテナ基板とは別のアンテナ基板とメイン基板とを接続する同軸線を通して前記別のアンテナ基板の増幅器に供給するとともに、他のアンテナ基板の増幅器には前記制御線を通して制御信号を供給するように構成したことを特徴とする。
【発明の効果】
【０００６】
本発明によれば、複数のアンテナ基板を備えたアンテナ装置を有する受信装置において、アンテナ基板とメイン基板との間の配線を少なくすることができる。
【図面の簡単な説明】
【０００７】
【図１】本発明の一実施の形態による受信装置を備えた表示装置の外観を示す斜視図
【図２】表示装置の側面図
【図３】表示装置の装置本体を分解して示す斜視図
【図４】表示装置の電気回路構成を示す電気回路図
【発明を実施するための形態】
【０００８】
以下、本発明の一実施の形態による受信装置を備えた表示装置について、図面を用いて説明する。
【０００９】
図１は本発明の一実施の形態による受信装置を備えた表示装置の外観を示す斜視図、図２はその表示装置を側面から見た側面図、図３は装置本体の内部構造を示す斜視図である。
【００１０】
図１、図２に示すように、表示装置は、装置本体１と、この装置本体１に設けた樹脂からなる支持部材としての支持アーム２と、この支持アーム２の先端部に回動可能なように取り付けられた薄型で平板形状の液晶ディスプレイなどのディスプレイ装置３と、前記支持アーム２の後端部側に装置本体１に対して回動可能なように取り付けた平板形状のアンテナ装置４とを備えている。
【００１１】
また、装置本体１は、図３に示すように、樹脂からなる外装筐体１ａ内に、ディスプレイ装置３に画像を表示する駆動回路、テレビジョン放送を受信して前記駆動回路に受信信号を供給するチューナ、ディスプレイ装置３を含め、電源電圧を供給するための電源回路を搭載したメイン基板５を組み込むことにより構成されている。また、メイン基板５には、前記駆動回路、チューナ、電源回路の配線を行う配線パターンと、アースパターンとなるグランドパターンが銅箔により形成されてなお、図３においては、外装筐体１ａのうち、上部から被せる筐体を省略して示している。
【００１２】
アンテナ装置４は、平板形状のアクリル樹脂などの絶縁性基板の同一面上に、所定の形状の導体パターンを形成することにより複数のアンテナ基板を配置した構造である。
【００１３】
図４は表示装置において、アンテナ装置４を含む受信装置の電気回路を示す電気回路図である。
【００１４】
図４に示すように、アンテナ装置４は、アンテナ６と、アンテナ６で受信した電波を増幅する増幅器７を搭載したアンテナ基板８ａ、８ｂとを有する。
【００１５】
メイン基板５には、チューナ９、電源ブロック１０、チューナ９や増幅器７などの機器を制御するマイクロコンピュータからなる制御部１１が搭載されている。ここで、チューナ９は、アンテナ６で受信し、増幅器７で増幅した電波を受信し、復調するものである。
【００１６】
同軸線１２は、増幅器７で増幅した信号をチューナ９に入力し、電源線１３は、アンテナ基板８ａに搭載された増幅器７の電源をアンテナ基板８ｂに搭載された増幅器７の電源に供給する。また、制御線１４は、制御部１１からの制御信号をアンテナ基板８ｂに搭載された増幅器７と、アンテナ基板８ａに搭載された増幅器７に供給するものである。
【００１７】
図４において、メイン基板５の電源ブロック１０からの電源電圧は、アンテナ基板８ａの増幅器７にコイルＬ２を介して同軸線１２の信号線に供給している。この時、チューナ９に電源電圧が印加されないように、コンデンサＣ２で直流を遮断する。なお、チューナ９の入力インピーダンスは５０Ωとなっているため、コイルＬ２は高周波的にインピーダンスの高いインダクタンスを持っているものが望ましい。
【００１８】
同軸線１２に供給された電源電圧は、コイルＬ１を介してアンテナ基板８ａの増幅器７の電源端子に供給されるとともに、電源線１３を通してアンテナ基板８ｂの増幅器７の電源端子に供給される。この時、増幅器７の出力に電源電圧が印加されないようにコンデンサＣ１で直流を遮断する。
【００１９】
一方、アンテナ基板８ａ、８ｂの増幅器７を制御するための制御部１１の制御信号は、コイルＬ３を介して同軸線１２の信号線に制御信号が供給される。同軸線１２に供給された制御信号は、コイルＬ４を介してアンテナ基板８ｂの増幅器７の制御端子に供給されるとともに、アンテナ基板８ａの増幅器７の制御端子に供給される。この時、チューナ９に制御信号が印加されないように、コンデンサＣ３で直流を遮断する。
【００２０】
このようにアンテナ基板８ａとアンテナ基板８ｂとを電源線１３と制御線１４で接続することで、それぞれのアンテナ基板８ａ、８ｂとメイン基板５とは、１本の同軸線１２のみで接続すればよい。
【産業上の利用可能性】
【００２１】
本発明は、複数のアンテナを有する受信装置において、メイン基板とアンテナ装置との間の配線を少なくすることができ、機器の配線の簡素化に有効な発明である。
【符号の説明】
【００２２】
１  装置本体
３  ディスプレイ装置
４  アンテナ装置
５  メイン基板
６  アンテナ
７  増幅器
８ａ、８ｂ  アンテナ基板
９  チューナ
１０  電源ブロック
１１  制御部
１２  同軸線
１３  電源線
１４  制御線
【図１】
0005609855.tif 000002
【図２】
0005609855.tif 000003
【図３】
0005609855.tif 000004
【図４】
0005609855.tif 000005